(57)【特許請求の範囲】
【請求項１】
コネクタ電極が設けられた端子部と、前記端子部の断面周囲に所定間隔をおいて配置されるシールドと、前記端子部とシールドとのそれぞれの基部を収容するとともに、前記端子部とシールドとのそれぞれの先端をその一端から突出させたプラグ本体と、前記シールドの幅方向の一側面から突出される係合爪を先端に備えたロッドとからなり、前記ロッドは前記プラグ本体の一側面に設けられた押圧部を押圧することでその先端の係合爪が突出・突入方向に移動可能とされ、
前記プラグ本体を接続するソケット側のシールドコネクタは、前記シールドの先端が挿入される挿入口と、この挿入口の内周面に設けられ、前記係合爪を係合する係合部と、前記挿入口において、前記シールドの先端面に対してコネクタの引抜方向に弾性的に当接された押し当て部材とからなるシールドコネクタ。
【請求項２】
前記押し当て部材は導電性の板バネからなることを特徴とする請求項１記載のシールドコネクタ。
【請求項３】
前記挿入口は回路基板に装着するためのソケット本体に設けられており、当該ソケット本体の回路基板への装着側の面には前記押し当て部材と導通されたシールド用電極が設けられていることを特徴とする請求項１記載のシールドコネクタ。
【請求項４】
前記押し当て部材が導電性の板バネであり、前記シールド用電極は当該板バネの一端が前記ソケット本体から露出されて設けられたものであることを特徴とする請求項３記載のシールドコネクタ。
【請求項５】
前記シールドの幅方向の他側面には当該他側面外方に付勢された突起部を備えている請求項１記載のシールドコネクタ。
【請求項６】
前記端子部の外周には導電性シェルが設けられていることを特徴とするプラグ側のシールドコネクタと、前記端子部を収容するガイドスリーブを有し、前記ガイドスリーブの内周には導電性シェルが設けられていることを特徴とするソケット側のシールドコネクタとからなり、各々の導電性シェルのいずれか一方に、他方に対して隆起する隆起部を設けたことを特徴とする請求項１記載のシールドコネクタ。
【請求項７】
前記隆起部は、プラグ側のシールドコネクタとソケット側のシールドコネクタの嵌合状態において外力が生じた際の支点位置に設けたことを特徴とする請求項６記載のシールドコネクタ。
【発明の詳細な説明】
【０００１】
【発明の属する技術分野】
本発明は、シールド用フレームを備えたコネクタとソケットとの脱着構造に適用して有効な技術に関する。
【０００２】
【従来の技術】
ソケットとのコンタクトを構成する端子の周囲に所定間隔をおいてシールド用のフレームを装着したコネクタ（以下、「シールドコネクタ」という）が知られている（実開平７−１６３１２号）。
【０００３】
この従来技術では、一枚の金属板を断面偏平四角形状に成形してシールド用フレームを得ており、このフレームの金属材料が有する弾性によってコネクタとの物理的なコンタクト強度を保つように構成されている。
【０００４】
しかし、このような従来技術のシールドコネクタでは、ロック機構を有していないものが一般的であり、シールドコネクタのコネクタ本体（プラグ）を把持して反ソケット方向に引っ張るだけで極めて簡単にソケットからコネクタを引き抜くことが可能だった。
【０００５】
かかる構造は、一般家庭において頻繁に挿抜が繰り返されるデジタルビデオカメラとパーソナルコンピュータとのケーブル接続等のような民生用途には有効であるが、銀行あるいは店舗の監視用防犯カメラ等の業務用途のケーブル接続では接続信頼性の確保が不十分である。
【０００６】
【発明が解決しようとする課題】
この点について、シールドコネクタのフレーム側に可動突起を設け、ソケット側にはこれに対応する部位に係合孔を設けて接続時にコネクタとソケットとをロックする機構を設けることは考えられる。しかし、断面偏平四角形状を有するフレーム構造の場合、幅方向の距離があるため、幅方向のいずれか一端側の周面にのみロック機構を設けたのでは、反対側の端部の挿抜方向へのわずかな自由移動によってロックが解除されてしまう可能性があった。
【０００７】
これを防止するためには、フレームの幅方向の両端にロック機構を設けることが必要である。しかし、複数箇所にロック機構を設けることは構造が複雑になるばかりでなく、ロック機構同士の微妙な位置ずれ等が原因でがたつきが生じる場合があった。
【０００８】
このようながたつきが生じると、フレームとソケット側との電気的接続が不安定になり、フレームを伝幡してきたノイズ成分を基板側のアースに安定的に導くことが困難になってしまう懸念があった。
【０００９】
本発明は、このような点に鑑みてなされたものであり、その目的は、シールドコネクタのソケットとの接続信頼性を高めるとともに、ソケットとの接続時におけるノイズ成分の除去に効果的なシールドコネクタ、ソケットおよびその接続構造を提供することにある。
【００１０】
【課題を解決するための手段】
本発明の第１の手段は、コネクタ電極が設けられた端子部と、前記端子部の断面周囲に所定間隔をおいて配置されるシールドと、前記端子部とシールドとのそれぞれの基部を収容するとともに、前記端子部とシールドとのそれぞれの先端をその一端から突出させたプラグ本体と、前記シールドの幅方向の一側面から突出される係合爪を先端に備えたロッドとからなり、前記ロッドは前記プラグ本体の一側面に設けられた押圧部を押圧することでその先端の係合爪が突出・突入方向に移動可能とされたシールドコネクタである。
【００１１】
この手段において、係合爪がシールドの幅方向の一側面から突出される構成とし、このようなロック機構は１箇所のみとした。これにより、シールドコネクタの２箇所以上にロック機構を設ける構成に比べ構造が簡素化される。
【００１２】
本発明の第２の手段は、前記第１の手段におけるプラグ側のシールドコネクタを接続するソケットについて、前記シールドの先端が挿入される挿入口と、前記挿入口の内周面に設けられ、前記係合爪を係合する係合部と、前記挿入口において、前記シールドの先端面に対してコネクタの引抜方向に弾性的に当接された押し当て部材とを設けた構成としたものである。
【００１３】
このようにシールドの先端面に対して弾性的に押接する押し当て部を設けることにより、プラグ側の係合爪とソケット側の係合部とがいったん係合状態となると、前記押し宛て部からの押接力によりこの係合がさらに強固となり、ソケットからのシールドコネクタの安易な抜脱が防止される。特にロック機構が１箇所しか設けられていないシールドコネクタであっても、その引き抜き方向の力に対してより強い係合が実現される。
【００１４】
本発明の第３の手段は、前記第２の手段において、前記押し当て部材を導電性の板バネで構成したものである。このように押し当て部材を導電性材料で構成することにより、前記シールドの先端と押し当て部材とは面接触が実現されるため、シールドからのノイズ成分を効率的にソケットの外部に放出させることができる。
【００１５】
本発明の第４の手段は、前記第２の手段において、前記挿入口を回路基板に装着するためのソケット本体に設け、さらにこのソケット本体の回路基板への装着側の面には前記押し当て部材と導通されたシールド用電極を設けたものである。
【００１６】
このように、押し当て部材をシールド用電極と導通させることにより、このシールド用電極を回路基板側の電極と選択的に接続させることができる。これにより回路基板側にアース回路を有している場合には、シールドのノイズ成分を回路基板側に効率的に放出できる。
【００１７】
本発明の第５の手段は、前記第４の手段において、前記押し当て部材を導電性の板バネとし、この板バネの一端を前記ソケット本体から露出させてシールド用電極を設けたものである。
【００１８】
このように押し当て部材とシールド用電極とを一体の板バネで構成することにより少ない部品点数で接続信頼性およびシールド効果の高いプラグとソケットとの接続構造を実現できる。
【００１９】
さらに本発明の第６の手段は、前記プラグにおいて、前記シールドの係合爪とは反対側の面には当該他側面外方に付勢された突起部を備えてた構造とした。これにより、シールドの他側面もソケットとへの装着時に位置決めが確実に行われる。
【００２０】
本発明の第７の手段は、前記端子部の外周には導電性シェルが設けられていることを特徴とするプラグ側のシールドコネクタと、前記端子部を収容するガイドスリーブを有し、前記ガイドスリーブの内周には導電性シェルが設けられていることを特徴とするソケット側のシールドコネクタとからなり、各々の導電性シェルのいずれか一方に、他方に対して隆起する隆起部を設けた。これにより、各々の導電性シェルを介して一方のコネクタのノイズ成分が他方に放出され、シールド効果の高いプラグとソケットとの接続構造を提供できる。
【００２１】
本発明の第８の手段は、前記隆起部をプラグ側のシールドコネクタとソケット側のシールドコネクタの嵌合状態において外力が生じた際の支点位置に設けたもので、これにより、各々のコネクタの嵌合状態においてケーブルその他に外力が生じた場合でも、各々の金属シェル間において少なくとも支点位置の隆起部においては導通が保たれるので、より優れたシールド効果を有するプラグとソケットとの接続構造を提供できる。
【００２２】
【発明の実施の形態】
以下、図面に基づいて、本発明の実施の形態を説明する。
【００２３】
【実施例】
図１は本発明の実施例におけるプラグの右斜上方からの斜視図、図２は同じく左斜上方からの斜視図、図３は同じく一部切り欠き平面図、図４は本発明の実施例におけるソケットの右斜下方からの斜視図、図５は図４のＶ−Ｖ線断面図、図６は図５のＶＩ−ＶＩ線断面の右斜上方からの斜視図、図７はプラグをソケットに装着した状態を一部断面で示した平面図である。
【００２４】
本実施例のコネクタの外観は図１に示すとおりであり、合成樹脂をモールド加工して得られたプラグ本体１を有している。プラグ本体１の後端には同軸ケーブル２が取りつけられている。プラグ本体１の先端からはアルミニウム合金等の導電性金属を加工して得られたシールド３が突設されている。
【００２５】
シールド３の幅方向の一側面からは係合爪５が設けられている。この係合爪５は、プラグ本体１の側面に設けられた円孤凸状に形成された押圧部６を押圧することにより、シールド３の内側方向（図１の左側方向）に引き込み動作が可能となっている。
【００２６】
次に、この係合爪５の内部機構については図３を用いて説明する。
係合爪５は、金属材料または硬質プラスチック等で構成されたロッド５ａの先端に設けられている。このロッド５ａはその基端がプラグ本体１内で軸支されている。そして、ロッド５ａの途中部分にはＵ字状に折曲されたバネ１０がプラグ本体１との隙間に嵌合されており、ロッド５ａを外方に付勢している。前記ロッド５ａのバネ１０の反対側の面は押圧部６の内側面に当接している。プラグ本体１の側面にはこの押圧部６の先端に切り込み部１ａが設けられており、押圧部６を本体内方に押し込むことが可能になっている。すなわち、押圧部６を指腹で押圧することにより、ロッド５ａをバネ１０に抗して軸支部５ｂを中心に内方に回動させ、その結果、係合爪５をシールド３の側面内部に引き込ませてロックを解除することができるようになっている。
【００２７】
前記シールド３の幅方向の他の側面には、窓部８から板バネ７ａの突起部７が露出されている（図２参照）。この板バネ７ａの基部は図３に示すようにプラグ本体１内に固定されており、その先端に設けられた突起部７が板バネ７ａの弾性により窓部８から外方に付勢された状態で露出されている。
【００２８】
なお、プラグ本体１から突設されたシールド３の内方には、所定間隔をおいてハウジング凸部４が前記シールド３の軸方向と並行にプラグ本体１から突設されている（図１参照）。このハウジング凸部４の先端面には端子孔４ａが開設されており、この端子孔４ａの内部にはコネクタ電極４ｂが設けられている。また、ハウジング凸部４の前記シールド３に面した外周は金属等の導電体で形成された端子シェル４ｄでほぼ覆われている。
【００２９】
ソケットは、図４に示すように、合成樹脂をモールドして得られたソケット本体１１を有している。このソケット本体１１は、正面に挿入口１２が設けられており、この挿入口１２の内部空間には、前記コネクタの装着時にシールド３とハウジング凸部４との間に入り込んでハウジング凸部４をガイドするガイドスリーブ１３が前記挿入口１２の内面に沿って突設されている。
【００３０】
また、挿入口１２の内周面には、凹部１２ａ，１２ｂが設けられている。このうち一方の凹部１２ａは、シールド３から突出した係合爪５が係合するためのものであり、他方の凹部１２ｂは板バネ７ａの突起部７が入り込むようになっている。
【００３１】
ガイドスリーブ１３の各内面には金属等の導電体で形成されたインナーシェル１８が設けられ、ハウジング凸部４が挿入された際にその端子シェル４ｄと多面で接触するように形成されている。
【００３２】
また、このガイドスリーブ１３のさらに内部空間には、ソケット側の端子１４が突設されており、この端子１４が前記コネクタ側のハウジング凸部４の端子孔４ａ内に挿入されることにより、端子１４の周面に設けられた内部電極１４ａと端子孔４ａの内周面に設けられたコネクタ電極４ｂとが接触状態となり、電気的コンタクトが実現する。
【００３３】
なお、図４に示すように、前記のインナーシェル１８の内面に隆起部１８ａを、プラグとソケットの嵌合状態で外力が加わった際に支点となる位置に設けることにより、そのような状態時においても端子シェル４ｄ〜インナーシェル１８間の接触安定性を確保することができる。同図ではソケット側のインナーシェル１８側に隆起部１８ａを設けたが、プラグ１側の端子シェル４ｄ側に設けるようにしてもよい。
【００３４】
ソケット本体１１はその幅方向両端に基板装着用ブロック１１ａ，１１ｂを有しており、この基板装着用ブロック１１ａ，１１ｂにはコネクタの嵌合方向と並行にネジ止孔１１ｃ，１１ｄが穿設されている。またこの軸方向とは垂直方向にもネジ止孔１１ｅ，１１ｆが穿設されている。したがって、当該ソケットは、回路基板に対して挿入口１２を横設または立設させた状態で取り付けることができる。
【００３５】
ソケット本体１１の後端側の底面には、前記端子１４に設けられた内部電極１４ａと電気的に導通された外部電極１５が設けられている。この外部電極１５はリン青銅等の導電金属板にめっきを施してＬ字状に折曲したものであり、図示しない回路基板上に形成された図示しない電極と半田等で接合するようになっている。
【００３６】
挿入口１２の最深部には図５および図６に示すように、押し当て部材としてのバネ材１６ａ，１６ｃが取り付けられている。このバネ材１６ａ，１６ｃは、リン青銅等の導電性金属板をＺ字状に折曲して得ることができる。このバネ材１６ａ，１６ｃの押し当て面にはコネクタのシールド３の先端面が当接するようになっており、シールド３が押し込まれるとそのバネ性により反発方向（引き抜き方向）にシールド３の先端面を付勢する機能を有している。
【００３７】
前記バネ材１６ａ，１６ｃの一端は、前記ソケット本体１１の底面よりＬ字状に折曲して露出され、シールド用電極１６ｂ，１６ｄを構成している（図４参照）。このシールド用電極１６ｂ，１６ｄは、回路基板のグランド電極（図示せず）と選択的に半田等で導通させることができる。
【００３８】
本実施例において、コネクタをソケットに装着する場合には、まずソケットの挿入口１２に対してコネクタのシールド３がガイドスリーブ１３にガイドされて挿入される。そして、シールド３の先端が一定以上挿入されると、シールド３の先端面がバネ材１６ａ，１６ｃの押し当て面と当接する。このバネ材１６ａ，１６ｃの反発力に抗してさらにシールド３の挿入を継続すると係合爪５がバネ１０の弾性力により凹部１２ａに嵌まり込む。このとき、シールド３の挿入を停止しても、凹部１２ａに係合された係合爪５は前記バネ材１６ａ，１６ｃの反発力により凹部１２ａと強い係合状態となる。
【００３９】
本実施例ではこのように、バネ材１６ａ，１６ｃの反発力が係合爪５と凹部１２ａの係合をより強くするため、この係合爪５によるロック機構は１箇所だけでも不用意なコネクタの脱落を防止できる。
【００４０】
また、バネ材１６ａ，１６ｃの当接面でシールド３の先端面と接触する構造であるため、導通断面を広く確保することができ、シールド３を伝幡してきたノイズ成分の外部への除去に効果的である。
【００４１】
【発明の効果】
本発明によれば、シールドコネクタのソケットとの接続信頼性が高まるとともに、コネクタとソケットとの接続時におけるノイズ成分の除去を効率的に実現できる。
【図面の簡単な説明】
【図１】本発明の実施例におけるシールドコネクタ（プラグ）の右斜上方からの斜視図
【図２】実施例におけるシールドコネクタ（プラグ）の左斜上方からの斜視図
【図３】実施例のシールドコネクタ（プラグ）を一部切り欠き断面で示す平面図
【図４】実施例におけるシールドコネクタ（ソケット）の右斜下方からの斜視図
【図５】実施例におけるシールドコネクタ（ソケット）を示す図４のＶ−Ｖ線断面図
【図６】実施例におけるシールドコネクタ（ソケット）を示す図５のＶＩ−ＶＩ線断面における右斜上方からの斜視図
【図７】実施例におけるプラグをソケットに装着した状態を一部断面で示した平面図
【符号の説明】
１  プラグ本体
２  同軸ケーブル
３  シールド
４  ハウジング凸部
４ａ  端子孔
４ｂ  コネクタ電極
４ｄ  端子シェル
５  係合爪
５ａ  ロッド
６  押圧部
７  突起部
７ａ  板バネ
８  窓部
１０  バネ
１１  ソケット本体
１１ａ，１１ｂ  基板装着用ブロック
１１ｃ，１１ｄ  ネジ止孔
１１ｅ，１１ｆ  ネジ止孔
１２  挿入口
１２ａ，１２ｂ  凹部
１３  ガイドスリーブ
１４  端子
１４ａ  内部電極
１５  外部電極
１６ａ，１６ｃ  バネ材（押し当て部材）
１６ｂ、１６ｄ  シールド用電極
１８  インナーシェル
１８ａ  隆起部
【図１】
0004074022.tif 000002
【図２】
0004074022.tif 000003
【図３】
0004074022.tif 000004
【図４】
0004074022.tif 000005
【図５】
0004074022.tif 000006
【図６】
0004074022.tif 000007
【図７】
0004074022.tif 000008